(57)【特許請求の範囲】
【請求項１】
読み取られる原稿のサイズと向きに応じた記録媒体が選択されるモードである第１の画像形成態様、および設定された記録媒体のサイズに対応するように画像形成の倍率設定を自動的に行うモードである第２の画像形成態様から何れかの画像形成態様を選択する選択手段と、
前記第１の画像形成態様において、複数の原稿のサイズに関する情報と、前記画像形成の倍率設定に基づいて各原稿のサイズに対応付けされた記録媒体のサイズに関する情報とをそれぞれ格納する格納手段と、
前記第２の画像形成様態において、読み取られる原稿のサイズと向きに応じた記録媒体を画像形成処理の指示毎に設定する設定手段と、
前記選択手段により前記第２の画像形成態様において、原稿のサイズに関する情報を取得する取得手段と、
前記取得手段で取得された原稿のサイズに関する情報に基づいて、前記第１の画像形成態様について前記格納手段において対応する前記記録媒体に関連する情報を変更する変更手段と、
該変更手段で変更された情報に基づいて前記記録媒体上に画像を形成する形成手段と、
を備えることを特徴とする画像形成装置。
【請求項２】
前記取得手段で取得された前記原稿のサイズに関連した第２の画像形成様態のパラメータが、前記第１の画像形成態様に存在するか否かを前記格納手段に格納された情報に基づいて検索する検索手段をさらに備え、
前記変更手段は、
前記検索手段で検索された共通のパラメータについて、前記格納手段において対応する前記記録媒体に関連する情報を変更することを特徴とする請求項１に記載の画像形成装置。
【請求項３】
請求項１または請求項２に記載の少なくとも１の画像形成装置と、
通信手段を介して前記画像形成装置と接続される少なくとも１の情報処理装置と、
から構成されることを特徴とする画像形成システム。
【請求項４】
読み取られる原稿のサイズと向きに応じた記録媒体が選択されるモードである第１の画像形成態様、および設定された記録媒体のサイズに対応するように画像形成の倍率設定を自動的に行うモードである第２の画像形成態様から何れかの画像形成態様を選択する選択過程と、
前記第１の画像形成態様において、複数の原稿のサイズに関する情報と、前記画像形成の倍率設定に基づいて各原稿のサイズに対応付けされた記録媒体のサイズに関する情報とをそれぞれ格納する格納過程と、
前記第２の画像形成様態において、読み取られる原稿のサイズと向きに応じた記録媒体を画像形成処理の指示毎に設定する設定過程と、
前記選択過程により前記第２の画像形成態様において、原稿のサイズに関する情報を取得する取得過程と、
前記取得過程で取得された原稿のサイズに関する情報に基づいて、前記第１の画像形成態様について対応する前記記録媒体に関連する情報を変更する変更過程と、
該変更過程で変更された情報に基づいて前記記録媒体上に画像を形成する形成過程と、
を演算手段に実行させることを特徴とする処理プログラム。
【発明の詳細な説明】
【技術分野】
【０００１】
本発明は、画像形成装置および処理プログラムに関するものである。
【背景技術】
【０００２】
従来から複写機等の画像形成装置においては、自動用紙サイズ選択モードや所謂オートモード、操作者の操作性を向上させるために所定の設定を自動化した基本コピーモード等の設定が可能となっている。
【０００３】
オードモードとは、読み取られる原稿のサイズや向きに応じて、予め設定された記録媒体のサイズ、向き、種類等が選択されるモードである。
【０００４】
また、基本コピーモードとは、コピー倍率を「自動倍率」設定にすると、出力用紙サイズを設定することで所望の用紙サイズに自動的に倍率を決定し出力するモードである。
【０００５】
基本コピーモードは原稿に対して、コピー作業を行う度に設定を行う必要があるが、入力した原稿に対して出力用紙のサイズ設定を行うだけで良いためユーザにとってサイズ設定が容易に行えるという利点がある。
【０００６】
ところで、オートモード設定ができる複写機において、複数の系列サイズについて登録設定できる場合には、１画面で全ての設定を表示することは難しいため、画面を切り換えて表示を行うのが一般的である。
【０００７】
このため、登録した出力用紙と異なったサイズに出力用紙設定を変更しようとする場合には、目的の原稿サイズと出力用紙の設定画面を呼び出すまでに数回の操作が必要になり、また、１画面で全ての設定を行う設定画面の場合でも、ユーザが原稿サイズを知っていないと設定変更ができなかった。
【０００８】
ここで、設定機能を有する画像形成装置に関する技術は種々提案されている。
【０００９】
特開２００５−７４７１６号公報には、表示モード切り替え手段と、少なくとも１つの機能設定を行った後に、表示モード切り替え手段を操作した場合に、設定された機能を維持する技術が開示されている。
【００１０】
なお、この従来技術では、同じ設定項目をモード変更時に反映させることを前提としている。
【先行技術文献】
【特許文献】
【００１１】
【特許文献１】特開２００５−７４７１６号公報
【発明の概要】
【発明が解決しようとする課題】
【００１２】
本発明は、操作者が原稿のサイズを知らない場合であっても設定の利便性を向上させることのできる画像形成装置、画像形成システムおよび処理プログラムを提供することを目的とする。
【課題を解決するための手段】
【００１３】
前記課題を解決するため、請求項１の発明に係る画像形成装置は、読み取られる原稿のサイズと向きに応じた記録媒体が選択されるモードである第１の画像形成態様、および設定された記録媒体のサイズに対応するように画像形成の倍率設定を自動的に行うモードである第２の画像形成態様から何れかの画像形成態様を選択する選択手段と、前記第１の画像形成態様において、複数の原稿のサイズに関する情報と、前記画像形成の倍率設定に基づいて各原稿のサイズに対応付けされた記録媒体のサイズに関する情報とをそれぞれ格納する格納手段と、前記第２の画像形成様態において、読み取られる原稿のサイズと向きに応じた記録媒体を画像形成処理の指示毎に設定する設定手段と、前記選択手段により前記第２の画像形成態様において、原稿のサイズに関する情報を取得する取得手段と、前記取得手段で取得された原稿のサイズに関する情報に基づいて、前記第１の画像形成態様について前記格納手段において対応する前記記録媒体に関連する情報を変更する変更手段と、該変更手段で変更された情報に基づいて前記記録媒体上に画像を形成する形成手段と、を備えることを特徴とする。
【００１４】
請求項２の発明に係る画像形成装置は、請求項１に記載の発明について、前記取得手段で取得された前記原稿のサイズに関連した第２の画像形成様態のパラメータが、前記第１の画像形成態様の間に存在するか否かを前記格納手段に格納された情報に基づいて検索する検索手段をさらに備え、前記変更手段は、前記検索手段で検索された共通のパラメータについて、前記格納手段において対応する前記記録媒体に関連する情報を変更することを特徴とする。
【００１６】
請求項３の発明に係る画像形成システムは、請求項１または請求項２に記載の少なくとも１の画像形成装置と、通信手段を介して前記画像形成装置と接続される少なくとも１の情報処理装置とから構成されることを特徴とする。
【００１７】
請求項４の発明に係る処理プログラムは、読み取られる原稿のサイズと向きに応じた記録媒体が選択されるモードである第１の画像形成態様、および設定された記録媒体のサイズに対応するように画像形成の倍率設定を自動的に行うモードである第２の画像形成態様から何れかの画像形成態様を選択する選択過程と、前記第１の画像形成態様において、複数の原稿のサイズに関する情報と、前記画像形成の倍率設定に基づいて各原稿のサイズに対応付けされた記録媒体のサイズに関する情報とをそれぞれ格納する格納過程と、前記第２の画像形成様態において、読み取られる原稿のサイズと向きに応じた記録媒体を画像形成処理の指示毎に設定する設定過程と、前記選択過程により前記第２の画像形成態様において、原稿のサイズに関する情報を取得する取得過程と、前記取得過程で取得された原稿のサイズに関する情報に基づいて、前記第１の画像形成態様について対応する前記記録媒体に関連する情報を変更する変更過程と、該変更過程で変更された情報に基づいて前記記録媒体上に画像を形成する形成過程と、を演算手段に実行させることを特徴とする。
【発明の効果】
【００１８】
本発明によれば以下の効果を奏することができる。
【００１９】
すなわち、請求項１に記載の発明によれば、操作者が原稿のサイズを知らない場合にも取得手段で取得された原稿のサイズに関する情報に基づいて第１の画像形成態様の各種設定を容易に行うことができ、操作者の利便性を向上させる画像形成装置を提供することができる。
【００２０】
請求項２に記載の発明によれば、検索された共通のパラメータについて記録媒体に関連する情報をより容易に変更することができ、操作者の利便性を一層向上させる画像形成装置を提供することができる。
【００２２】
請求項３に記載の発明によれば、操作者が原稿のサイズを知らない場合にも容易に各種設定を行うことができ、操作者の利便性を向上させる画像形成システムを提供することができる。
【００２３】
請求項４に記載の発明によれば、操作者が原稿のサイズを知らない場合にも取得過程で取得された原稿のサイズに関する情報に基づいて第１の画像形成態様の各種設定を容易に行うことができ、操作者の利便性を向上させる処理プログラムを提供することができる。
【図面の簡単な説明】
【００２４】
【図１】実施の形態に係る画像形成装置Ｍ１の概略構成を示す構成図である。
【図２】実施の形態に係る画像形成装置Ｍ１が有する原稿読取部の断面図である。
【図３】実施の形態に係る画像形成装置Ｍ１の概略構成を示すブロック図である。
【図４】実施の形態に係る画像形成装置Ｍ１の機能構成を示す機能ブロック図である。
【図５】画像形成処理の処理手順を示すフローチャートである。
【図６】タッチパネルの表示例を示す説明図である。
【図７】タッチパネルの表示例を示す説明図である。
【発明を実施するための形態】
【００２５】
以下、本発明の一例としての実施の形態を図面に基づいて詳細に説明する。ここで、添付図面において同一の部材には同一の符号を付しており、また、重複した説明は省略されている。なお、ここでの説明は本発明が実施される最良の形態であることから、本発明は当該形態に限定されるものではない。
【００２６】
図１から図７を参照して、本発明についての実施の形態に係る画像形成装置Ｍ１について説明する。
【００２７】
図１に示す本発明の実施形態に係る画像形成装置Ｍ１は、画像形成部２０と、制御ユニット２６と、媒体供給装置１００と、表示操作ユニット２００と、原稿読取ユニット４００とを有する。
【００２８】
表示操作ユニット２００は、表示操作ユニット本体２０２を有し、各種表示を行うと共に各種操作を行うユーザインターフェイスとして用いられ液晶式等のタッチパネル２０４等が搭載されている。
【００２９】
なお、タッチパネルとは、指や専用のペンで画面に触れることで入力操作が可能な装置であり、指等が触れた位置を検知して画面上の位置を指定し、操作対象に指示を与えることができるポインティングデバイスの一種である。
【００３０】
タッチパネル２０４からは、例えば、原稿読取ユニット４００で原稿を読み取る際のカラーモード、出力ファイル形式、読み取り解像度、読み取り倍率等を入力して設定するようになっている。
【００３１】
媒体供給装置１００は、画像が形成される例えば普通紙等の記録媒体を画像形成部２０に供給する装置である。
【００３２】
本実施の形態では、例えば、１台のロール媒体供給装置１１０と、２台のカット媒体供給装置１４０とを有し、ロール媒体供給装置１１０の下方に、２つのカット媒体供給装置１４０が位置するように重ねられて配置されている。
【００３３】
ここで、ロール媒体とは、例えばロール紙等のロール状に巻かれた画像形成がなされる記録媒体をいう。
【００３４】
また、カット媒体とは、例えばＡ４サイズ、Ｂ５サイズ等のサイズに１枚ずつ切断された記録用紙等の記録媒体をいう。
【００３５】
ロール媒体供給装置１１０は、ロール媒体供給装置本体１１２を有し、ロール媒体供給装置本体１１２内に、ロール媒体１１４が回転することができ、先端部を引き出すように装着されている。
【００３６】
また、ロール媒体供給装置本体１１２内には、ロール媒体が搬送される通路であるロール媒体搬送路１１６が形成されていて、ロール媒体搬送路１１６に沿って、ロール媒体の搬送方向上流側から順に、引き出しロール１１８と、搬送ロール１２０と、切断装置１２２とが装着されている。
【００３７】
引き出しロール１１８は、巻かれた状態にあるロール媒体の先端部を引き出し、該先端部をロール媒体搬送方向下流側に向けて引き出すために用いられている。
【００３８】
搬送ロール１２０は、引き出しロール１１８によって引き出された用紙を、さらに下流側、すなわち画像形成部２０側に搬送するために用いられる。
【００３９】
切断装置１２２は、必要な長さ分が画像形成部２０に供給されたロール媒体１１４の後端側を切断するために用いられる。
【００４０】
また、ロール媒体供給装置本体１１２内には、２台のカット媒体供給装置１４０、１４０からそれぞれ供給されるカット媒体が、画像形成部２０側に搬送される際に通過する通過搬送路１２４が形成され、通過搬送路１２４に沿って搬送ロール１２８が装着されている。
【００４１】
搬送ロール１２８は、２つのカット媒体供給装置１４０、１４０から供給されたカット媒体を、画像形成部２０側に搬送するために用いられる。
【００４２】
カット媒体供給装置１４０、１４０は、それぞれがカット媒体供給装置本体１４２を有し、カット媒体供給装置本体１４２内に、カット媒体を積層するように収納するカット媒体収納部１４４が、例えばカット媒体供給装置本体１４２に対して着脱するように装着されている。
【００４３】
また、カット媒体供給装置本体１４２内には、カット媒体収納部１４４の最上位に位置するカット媒体を、カット媒体搬送方向における下流側に送り出す送り出しロール１４６と、送り出しロール１４６によって引き出されたカット媒体をさらに上流側に向けて搬送する搬送ロール１４８と、カット媒体を捌いてカット媒体の重送を防止する捌きロール１５２とが装着されている。
【００４４】
また、搬送ロール１４８、及び捌きロール１５０の下流側に搬送ロール１５２が装着されている。
【００４５】
画像形成部２０は、原稿読取ユニット４００で取得された原稿画像に基づく画像形成を行う。
【００４６】
画像形成部２０は、例えば電子写真方式のものが用いられ、画像形成部本体２２を有し、画像形成部本体２２内には、媒体供給装置１００から供給された媒体が通過する媒体搬送路５０が形成されている。
【００４７】
また、画像形成部本体２２内には、例えば感光体ドラムが用いられる像保持体３０と、像保持体３０を一様に帯電する帯電装置３２と、帯電装置３２により一様に帯電された像保持体３０に潜像を形成する潜像形成装置３４と、潜像形成装置３４により形成された像保持体３０上の潜像をトナーで可視化する現像装置３６と、現像装置３６により形成されたトナー像を媒体に転写する転写装置４０と、像保持体３０に残ったトナーをクリーニングするクリーニング装置４２とが装着されている。
【００４８】
また、画像形成部本体２２内には、媒体搬送路５０に沿って、媒体搬送方向上流側から順に、搬送ロール５２と、レジストロール５４と、定着装置５６と、搬送ロール５８と、排出ロール６０とが装着されている。
【００４９】
搬送ロール５２は、記録媒体をレジストロール５４に向けて搬送する。
【００５０】
レジストロール５４は、停止した状態から所定のタイミングで回転を開始することで、像保持体３０にトナー像が形成されるタイミングと合致するように、記録媒体を像保持体３０と転写装置４０との接触部に送り出す。
【００５１】
定着装置５６は、転写装置４０によって媒体に転写されたトナー像を、圧力と熱とで記録媒体に定着する。排出ロール６０は、トナー像が定着された媒体を、画像形成部本体２２外に排出するために用いられる。
【００５２】
制御ユニット２６は、例えば画像形成部本体２２内に装着されている。制御ユニット２６は、例えばマイクロコンピュータ等で構成され、画像形成装置Ｍ１の全般的な動作、処理を制御する。
【００５３】
図２には、原稿読取ユニット４００が示されている。
【００５４】
原稿読取ユニット４００は、単色又はカラーの画像を読み取る原稿読取ユニット本体４０２を有し、原稿読取ユニット本体４０２内に、原稿が通過する原稿搬送路４０４が形成されている。
【００５５】
また、原稿読取ユニット本体４０２内には、原稿の搬送に用いられる原稿搬送部４０８が装着されている。
【００５６】
原稿搬送部４０８は、原稿の搬送方向における上流側に設けられた搬送ロール４１０と、同方向における下流側に設けられた搬送ロール４１２とを有する。
【００５７】
また、原稿読取ユニット本体４０２内には、原稿を読み取り、原稿の画像を取得する原稿画像読取部４２４（読取手段の一例）が装着されている。
【００５８】
原稿画像読取部４２４は、光透過性部材４１４と、光照射装置４１６と、光電変換部材４１８とを有する。
【００５９】
光透過性部材４１４は、例えばガラスや樹脂等の光を透過する材料が用いられ、原稿搬送路４０４の下側に配置されている。
【００６０】
光照射装置４１６は、例えばキセノンランプが用いられ、光透過性部材４１４を通過するようにして、原稿搬送路４０４を搬送中の原稿に光を照射する。
【００６１】
光電変換部材４１８は、光照射装置４１６から照射され、原稿の下向きの面で反射され、図示を省略する光学系によって集められた光が入射する位置に配置されていて、入射した光を電気信号に変換する。なお、光電変換部材４１８には、例えばＣＣＤアレイが用いられる。
【００６２】
原稿読取ユニット本体４０２の外側には、搬送ロール４１２によって原稿搬送部本体の外に排出された部分を装置前側に案内する案内部材４２０が装着されている。また、原稿読取ユニット本体４０２内には、マイクロコンピュータ等で構成され、主として原稿読取ユニット４００の制御に用いられる制御ユニット５００が装着されている。
【００６３】
次に、図３のブロック図を参照して、画像形成装置Ｍ１の制御系の概略構成について説明する。
【００６４】
画像形成装置Ｍ１は、装置の制御全般を司るコントローラ５０１、給紙選択方法、複写部数や複写倍率や、スタンプ番号、紙折り方法などのオプションパラメータを入力するタッチパネル２０４、原稿の読み取りを行う原稿読取ユニット４００、画像形成を行うプリントエンジン５０４を備える。
【００６５】
コントローラ５０１は、タッチパネル２０４の表示制御等を行うタッチパネル制御部５１２、印刷ジョブ等の制御を行うジョブ制御部５１０、原稿のイメージデータ等を格納するメモリ２１１等を有する。
【００６６】
原稿読取ユニット４００は、原稿のイメージを読み取る原稿読み取り部５３０、イメージデータを一時的に格納するメモリ５１３等を有する。
【００６７】
そして、コントローラ５０１のジョブ制御部５１０は、プリントエンジン５０４の状態を監視し、出力可能であれば、メモリ５１１内の原稿イメージをプリントエンジン５０４に送信する。
【００６８】
次に、図４の機能ブロック図を参照して、本実施の形態に係る画像形成装置Ｍ１の機能構成について説明する。
【００６９】
本実施の形態に係る画像形成装置Ｍ１は、第１画像形成態様（所謂オートモード）および第２の画像形成態様（所謂基本コピーモード）から何れかの画像形成態様を選択するタッチパネル２０４等で構成されるモード選択部（選択手段の一例）と、第１の画像形成態様において、複数の原稿のサイズに関する情報と、各原稿のサイズに対応付けされた記録媒体のサイズに関する情報とをそれぞれ格納する書き換え可能なＥＥＰＲＯＭ等で構成されるサイズ情報格納部６０１（格納手段の一例）と、第２の画像形成様態において、記録媒体のサイズを画像形成処理の指示毎に設定するサイズ設定部６０３（設定手段の一例）と、モード選択部２０４により第２の画像形成態様において、原稿のサイズに関する情報を取得する原稿サイズ取得部６０２（取得手段の一例）と、原稿サイズ取得部６０２で取得された原稿のサイズに関する情報に基づいて、第１の画像形成態様についてサイズ情報格納部６０１において対応する記録媒体に関連する情報を変更する情報変更部６０４（変更手段の一例）と、この情報変更部６０４で変更された情報に基づいて印刷用紙上に画像を形成するプリントエンジン５０４（形成手段の一例）とを備える。
【００７０】
また、本実施の形態に係る画像形成装置Ｍ１では、原稿サイズ取得部６０２で取得された原稿のサイズに関連した第２の画像形成様態のパラメータが、第１の画像形成態様に存在するか否かをサイズ情報格納部６０１に格納された情報に基づいて検索する共通パラメータ検索部６０５（検索手段の一例）をさらに備える。
【００７１】
そして、情報変更部６０４は、共通パラメータ検索部６０５で検索された共通のパラメータについて、サイズ情報格納部６０１において対応する印刷用紙に関連する情報を変更するようになっている。
【００７２】
これにより、ユーザ等の操作者が原稿のサイズを知らない場合にも容易に各種設定を行って、操作者の利便性が向上される。
【００７３】
次に、図５のフローチャートと図６、図７の表示例を示す説明図を参照して、画像形成装置Ｍ１の具体的な動作例について説明する。
【００７４】
図５のフローチャートに基づいて、画像形成装置Ｍ１で実行される画像形成処理の処理手順について説明する。
【００７５】
なお、本例の画像形成処理では、基本コピーモードのサイズ設定をオートモードに反映する場合を示す。
【００７６】
ここで、基本コピーモードとは、コピー倍率を「自動倍率」設定にすると、出力用紙サイズを設定することで所望の用紙サイズに自動的に倍率を決定し出力するモード、オードモードとは、読み取られる原稿のサイズや向きに応じて、予め設定された記録媒体のサイズ、向き、種類等が選択されるモードをいうものとする。
【００７７】
なお、画像形成装置Ｍ１が備えるモードは、上述のものに限られない。
【００７８】
また、各モードは予め設定される場合だけでなく、最初は何も設定されておらず、第２の画像形成態様で設定された値を第１の画像形成態様で設定することも含まれる。
【００７９】
この処理が開始されると、まず、ステップＳ１０において、図６に示すように、モード選択部としてのタッチパネル２０４で、倍率の設定を「自動」とし、用紙選択を「ＪＩＳ  Ａ３」（定形サイズ）に設定し、この状態で「オートモード変更」のチェックボックスをＯＮにして、コピー（複写）を開始してステップＳ１１に移行する。
【００８０】
ステップＳ１１では、原稿読取ユニット４００に原稿が挿入されて、コピー開始指示がされると、画像読み取り部５３０は、原稿搬送して原稿画像を読み取り、原稿イメージをメモリ５３１に格納するともに、原稿サイズ取得部６０２で原稿幅の取得処理を行い、取得した原稿幅をコントローラ５０１に通知する。
【００８１】
次いで、ステップＳ１２では、サイズ判定部６０３は、原稿読取ユニット４００から通知された原稿幅に基づいて原稿が定形サイズか否かを判断する。
【００８２】
ここで、図７の（ａ）は、設定変更前のオートモードの設定画面を示す。
【００８３】
例えば、ＡＮＳＩ系列の「ＡＮＳＩ  Ｄ  ：２２×３４”」の原稿を、原稿挿入方向「縦」に設定し、用紙が「縦」に出力されると、オートモード設定は、図７の（ｂ）の画面のように設定変更が行われる。
【００８４】
一方、図７の（ｃ）は、オートモードの各種系列設定画面である。
【００８５】
即ち、図６において図示しない「オートモードの詳細設定」ボタンが押下されると表示される画面であり、各系列毎に入力原稿サイズに対する出力用紙設定を更に下の階層に持っており、ボタン操作を行うことで呼び出される。
【００８６】
そして、ジョブ制御部５１０は、原稿読取ユニット４００に原稿イメージへの転送指示を行い、メモリ５１１に原稿イメージを入力する。ジョブ制御部５１０は、プリントエンジン５０４の状態を確認して、出力可能であれば、原稿イメージをプリントエンジン５０４へ出力する。
【００８７】
つまり、定形サイズである場合（判定結果が「Ｙｅｓ」の場合）には、共通パラメータ検索部６０５は、オートモードの原稿方向「縦」の入力した原稿サイズに対する出力用紙設定テーブルを検索し（ステップＳ１３）、情報変更部６０４は、入力した原稿サイズに対応する出力用紙設定を「ＪＩＳ  Ａ３」に変更（ステップＳ１４）し、印刷動作を開始する（ステップＳ１５）。
【００８８】
なお、この際に、出力された用紙方向についても設定変更を行うようにしてもよい。
【００８９】
また、ステップＳ１２で「Ｎｏ」の場合には、ステップＳ１６に移行して、定形サイズでないため、オートモード設定に反映できない旨をタッチパネル２０４に表示してステップＳ１７に移行する。
【００９０】
ステップＳ１７では、複写動作を再開するか否かが判定され、「Ｙｅｓ」の場合にはステップＳ１５に移行して、印刷動作を開始し、「Ｎｏ」の場合にはそのまま処理を終了する。
【００９１】
即ち、ジョブ制御部５１０が、原稿読取ユニット４００から通知された原稿幅から、原稿が定形サイズでないと判断した場合は、タッチパネル制御部５１２が、原稿が定形サイズでないためオートモードの設定変更が不可であることをタッチパネル２０４に表示する。なお、タッチパネル２０４では、コピー中止指示と複写動作の再開指示がされる。
【００９２】
タッチパネル２０４にて複写動作の再開指示がされると、タッチパネル制御部５１２は、複写動作の再開を検出し、原稿イメージを入力し、プリントエンジン５０４に出力する。  このときには、オートモードの設定は変更されない。
【００９３】
以上述べたように本実施の形態に係る画像形成装置Ｍ１によれば、ユーザ等の操作者が複写を行おうとする原稿のサイズを知らない場合であっても容易に各種設定を行って、操作者の利便性が向上される。
【００９４】
以上本発明者によってなされた発明を実施の形態に基づき具体的に説明したが、本明細書で開示された実施の形態はすべての点で例示であって開示された技術に限定されるものではないと考えるべきである。すなわち、本発明の技術的な範囲は、前記の実施の形態における説明に基づいて制限的に解釈されるものでなく、あくまでも特許請求の範囲の記載に従って解釈すべきであり、特許請求の範囲の記載技術と均等な技術および特許請求の範囲内でのすべての変更が含まれる。
【００９５】
また、プログラムを用いる場合には、ネットワークを介して提供し、或いはＣＤ−ＲＯＭ等の記録媒体に格納して提供することが可能である。
【００９６】
即ち、画像処理プログラムを含む所定のプログラムを記録媒体としてのハードディスク等の記憶装置に記録する場合に限らず、当該所定のプログラムを次のようにして提供することも可能である。
【００９７】
例えば、所定のプログラムをＲＯＭに格納しておき、ＣＰＵが、この所定のプログラムをこのＲＯＭから主記憶装置へローディングして実行するようにしてもよい。
【００９８】
また、上記所定のプログラムを、ＤＶＤ−ＲＯＭ、ＣＤ−ＲＯＭ、ＭＯ（光磁気ディスク）、フレキシブルディスク、などのコンピュータ読み取り可能な記録媒体に格納して配布するようにしてもよい。
【００９９】
さらには、画像形成装置等を通信回線（例えばインターネット）を介してサーバ装置あるいはホストコンピュータと接続するようにし、サーバ装置あるいはホストコンピュータから上記所定のプログラムをダウンロードした後、この所定のプログラムを実行するようにしてもよい。この場合、この所定のプログラムのダウンロード先としては、ＲＡＭ等のメモリやハードディスクなどの記憶装置（記録媒体）が挙げられる。
【産業上の利用可能性】
【０１００】
本発明による画像形成装置、画像形成システムおよび処理プログラムは、複写機や複合機等に適用することができる。
【符号の説明】
【０１０１】
Ｍ１  画像形成装置
２０  画像形成部
２２  画像形成部本体
２６  制御ユニット
３０  像保持体
３２  帯電装置
３４  潜像形成装置
３６  現像装置
４０  転写装置
４２  クリーニング装置
５０  媒体搬送路
５２  搬送ロール
５４  レジストロール
５６  定着装置
５８  搬送ロール
６０  排出ロール
１００  媒体供給装置
１１０  ロール媒体供給装置
１１２  ロール媒体供給装置本体
１１４  ロール媒体
１１６  ロール媒体搬送路
１１８  ロール
１２０  搬送ロール
１２２  切断装置
１２４  通過搬送路
１２８  搬送ロール
１４０  カット媒体供給装置
１４２  カット媒体供給装置本体
１４４  カット媒体収納部
１４６  ロール
１４８  搬送ロール
１５０  ロール
１５２  搬送ロール
２００  表示操作ユニット
２０２  表示操作ユニット本体
２０４  タッチパネル
４００  原稿読取ユニット
４０２  原稿読取ユニット本体
４０４  原稿搬送路
４０８  原稿搬送部
４１０  搬送ロール
４１２  搬送ロール
４１４  光透過性部材
４１６  光照射装置
４１８  光電変換部材
４２０  案内部材
４２４  原稿画像読取部
５０４  プリントエンジン
６０１  サイズ情報格納部
６０２  原稿サイズ取得部
６０３  サイズ判定部
６０４  情報変更部
６０５  共通パラメータ検索部
【図１】
0005590310.tif 000002
【図２】
0005590310.tif 000003
【図３】
0005590310.tif 000004
【図４】
0005590310.tif 000005
【図５】
0005590310.tif 000006
【図６】
0005590310.tif 000007
【図７】
0005590310.tif 000008